(57)【要約】【課題】液晶モニタを開いた状態においても使用者によるタッチパネルへの操作が容易となり、液晶モニタを回転させたときの利便性を向上する。【解決手段】デジタルカメラ１００は、本体１０１と、本体１０１に対して複数の向きに配置可能な液晶モニタ１２３と、液晶モニタ１２３の向きを検出する回転検出部１２５と、回転検出部１２５が検出する液晶モニタ１２３の向きに基づいて、液晶モニタ１２３に表示させるスルー画像等に対するアイコンの位置を変更する表示制御部１３２と、を備える。【選択図】図６
2016103666.tif 000002
【特許請求の範囲】
【請求項１】
本体と、
前記本体に対して複数の向きに配置可能な表示部と、
前記表示部の向きを検出する検出部と、
前記検出部が検出する前記表示部の向きに基づいて、前記表示部に表示させる背景画面に対するオブジェクトの位置を変更する表示制御部と、
を備えた電子機器。
【請求項２】
前記表示部は、第１の向きおよび第２の向きを含む複数の向きに配置可能であり、
前記第１の向きは、前記表示部の表示面の後方側に前記本体が配置される向きであり、
前記第２の向きは、前記表示部の表示面の前方側に前記本体が配置される向きであり、
前記検出部が前記表示部の向きを前記第１の向きであると検出したときに、前記表示制御部は前記背景画面に対する前記オブジェクトの位置を第１の位置に表示し、
前記検出部が前記表示部の向きを前記第２の向きであると検出したときに、前記表示制御部は前記背景画面に対する前記オブジェクトの位置を前記第１の位置よりも前記本体から遠い第２の位置に表示する、
請求項１記載の電子機器。
【請求項３】
本体と、
前記本体に設けられ、被写体を撮像して画像データを出力する撮像部と、
前記本体に対して複数の向きに配置可能であり、前記画像データに基づく画像を表示可能な表示部と、
前記表示部の向きを検出する検出部と、
前記検出部が検出する前記表示部の向きに基づいて、前記表示部に表示させる前記画像に対するオブジェクトの位置を変更する表示制御部と、
を備えた撮像装置。
【発明の詳細な説明】
【技術分野】
【０００１】
本開示は、表示面の角度を変更可能なモニタを備えた電子機器に関する。
【背景技術】
【０００２】
デジタルスチルカメラやムービー等の電子機器において、撮像した画像データ等を表示するためのモニタの角度を変更可能なものが知られている（例えば、特許文献１参照。）。
【０００３】
このようなモニタを備えた従来の電子機器は、モニタの表示面を１８０度回転させることにより、被写体側に向けることが可能である場合も多い。
【先行技術文献】
【特許文献】
【０００４】
【特許文献１】特開２００３−５１９７０号公報
【発明の概要】
【発明が解決しようとする課題】
【０００５】
このような従来の電子機器は、モニタの表示面を１８０度回転させた場合に、本体とモニタの位置関係によってはモニタの利便性が低下する可能性があった。例えば、デジタルスチルカメラ本体の背面上部に左右方向の回転軸を持ち、この回転軸を中心に回転可能なモニタを備え、さらにモニタ表面にタッチパネルを備える構成のデジタルスチルカメラを考える。この従来のデジタルスチルカメラは、モニタを１８０度回転させたときに、前方からみてカメラ本体の上部にモニタの表示面を視認することができる。しかしながら、表示面のすぐ前にカメラ本体の上面が位置するため、この上面の形状やボタンやダイアル類の配置によっては、前方からのモニタの視認性や、表示面上のタッチパネルに対する操作性が低下し、利便性が低下する可能性があった。
【０００６】
本開示は上記課題に鑑みてなされたものであり、モニタを回転させたときの利便性を向上した電子機器を提供することを、目的とする。
【課題を解決するための手段】
【０００７】
ここに開示される電子機器は、本体と、本体に対して第１の向きおよび第２の向きを含む複数の向きに配置可能な表示部と、表示部の向きを検出する検出部と、検出部が検出する表示部の向きに基づいて、表示部に表示させる背景画面に対するオブジェクトの位置を変更する表示制御部と、を備える。
【発明の効果】
【０００８】
本開示によれば、モニタを回転させたときの利便性を向上した電子機器を提供することが出来る。
【図面の簡単な説明】
【０００９】
【図１Ａ】実施の形態１に係るデジタルカメラの液晶モニタを閉じた状態を示す前面構成図
【図１Ｂ】実施の形態１に係るデジタルカメラの液晶モニタを閉じた状態を示す背面構成図
【図２Ａ】実施の形態１に係るデジタルカメラの液晶モニタを開いた状態を示す前面構成図
【図２Ｂ】実施の形態１に係るデジタルカメラの液晶モニタを開いた状態を示す背面構成図
【図３】実施の形態１に係るデジタルカメラの電気的構成図
【図４】実施の形態１に係る撮影モードにおける処理の流れを示すフローチャート
【図５】実施の形態１に係る通常モードにおける画面表示の一例を示す図
【図６】実施の形態１に係る自分撮りモードにおける画面表示の一例を示す図
【発明を実施するための形態】
【００１０】
〔実施の形態１〕
実施の形態１のデジタルカメラ１００は、チルト式でタッチパネルを備えた液晶モニタ１２３を、備えている。このデジタルカメラ１００では、液晶モニタ１２３の回転状態の検出により、液晶モニタに表示するオブジェクトの配置が制御される。以下、デジタルカメラ１００の構成および動作を説明する。
【００１１】
〔１．構成〕
以下、図を用いてデジタルカメラ１００の構成を説明する。
【００１２】
〔１−１．デジタルカメラ１００の構成〕
図１Ａは、デジタルカメラ１００の液晶モニタ１２３を閉じた状態を示す前面構成図である。デジタルカメラ１００は、本体１０１の前面に光学系１１０を納める鏡筒、及びフラッシュ１６０等を、備える。また、デジタルカメラ１００は、本体１０１の上面に静止画レリーズ釦２０１、ズームレバー２０２、及び電源釦２０３などの操作釦を、備える。また、デジタルカメラ１００は、本体１０１の上面にシーン切替ダイアル２０９を備える。
【００１３】
図１Ｂは、デジタルカメラ１００の液晶モニタ１２３を閉じた状態を示す背面構成図である。デジタルカメラ１００は、本体１０１の背面にチルト方式でタッチパネルを備えた液晶モニタ１２３（表示部の一例）と、中央釦２０４、十字釦２０５、動画レリーズ釦２０６、及びモード切替スイッチ２０７などから構成される操作釦とを、備える。
【００１４】
図２Ａは、デジタルカメラ１００の液晶モニタ１２３を開いた状態を示す前面構成図である。図２Ｂは、デジタルカメラ１００の液晶モニタ１２３を開いた状態を示す背面構成図である。液晶モニタ１２３は、ヒンジ１２３Ｂによって、本体１０１の上部を回転中心として回転可能に設けられる。図１Ｂに示すように、液晶モニタ１２３が本体１０１の背後において、表示面１２３Ａを背面側に向けて配置された状態を、液晶モニタ１２３が閉じた状態とする。液晶モニタ１２３が閉じた状態において、液晶モニタ１２３の向きは、液晶モニタ１２３の表示面１２３Ａの後方側に本体１０１が配置される向きである。この向きは第１の向きの一例である。
【００１５】
また、図２Ａおよび図２Ｂに示すように、液晶モニタ１２３が閉じた状態から１８０度回転し、本体１０１の上方において、表示面１２３Ａを前面側に向けて配置された状態を、液晶モニタ１２３が開いた状態とする。液晶モニタ１２３が開いた状態において、液晶モニタ１２３の向きは、液晶モニタ１２３の表示面１２３Ａの前方側に本体１０１が配置される向きである。この向きは、第２の向きの一例である。図２Ａが示すように、本実施の形態のデジタルカメラ１００は、液晶モニタ１２３を開いた状態において、表示面１２３Ａを概ね前方から視認可能であるが、その一部がシーン切替ダイアル２０９および電源ボタン２０３により遮蔽されている。
【００１６】
図３は、デジタルカメラ１００の電気的構成図である。図３に示す各構成は、本体１０１の内部またはその表面に設けられている。デジタルカメラ１００は、光学系１１０を介して形成された被写体像を、ＣＭＯＳイメージセンサ１２０で撮像する。ＣＭＯＳイメージセンサ１２０は、撮像した被写体像に基づいて、画像データを生成する。撮像により生成された画像データは、ＡＦＥ（Ａｎａｌｏｇ  Ｆｒｏｎｔ  Ｅｎｄ）１２１や画像処理部１２２において、各種処理が施される。生成された画像データは、フラッシュメモリ１４２やメモリカード１４０等のような記録媒体に、記録される。本実施形態では、記録媒体の一例として、メモリカード１４０を用いた例を、示す。メモリカード１４０に記録された画像データは、使用者による操作部１５０（入力部の一例）の操作に基づいて、液晶モニタ１２３上に表示される。以下で、図１から図３に示す各構成の詳細を説明する。
【００１７】
光学系１１０は、フォーカスレンズ１１１、ズームレンズ１１２、絞り１１３、及びシャッター１１４等により、構成される。図示していないが、光学系１１０は、光学式手ぶれ補正（ＯＩＳ：Ｏｐｔｉｃａｌ  Ｉｍａｇｅ  Ｓｔａｂｉｌｉｚｅｒ）レンズを、含んでいてもよい。なお、光学系１１０を構成する各種レンズは、何枚から構成されるものでも、何群から構成されるものでもよい。
【００１８】
フォーカスレンズ１１１は、被写体のフォーカス状態の調節に用いられる。ズームレンズ１１２は、被写体の画角の調節に用いられる。絞り１１３は、ＣＭＯＳイメージセンサ１２０に入射する光量の調節に用いられる。シャッター１１４は、ＣＭＯＳイメージセンサ１２０に入射する光の露出時間を、調節する。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って、駆動される。
【００１９】
ＣＭＯＳイメージセンサ１２０は、光学系１１０を通して形成された被写体像を、撮像して、画像データを生成する。ＣＭＯＳイメージセンサ１２０は、デジタルカメラ１００が撮影モードにある場合、一定時間ごとに新しいフレームの画像データを、生成する。
【００２０】
ＡＦＥ１２１では、ＣＭＯＳイメージセンサ１２０から読み出された画像データに対して、各種の処理が施される。各種の処理には、相関二重サンプリングによる雑音抑圧、アナログゲインコントローラによるＡ／Ｄコンバータの入力レンジ幅への増幅、Ａ／ＤコンバータによるＡ／Ｄ変換が、含まれる。その後、ＡＦＥ１２１は、画像データを画像処理部１２２に出力する。
【００２１】
画像処理部１２２は、ＡＦＥ１２１から出力された画像データに対して、各種の処理を施す。各種処理には、スミア補正、ホワイトバランス補正、ガンマ補正、ＹＣ変換処理、電子ズーム処理、圧縮処理、伸張処理等が、含まれる。各種処理には、これらの処理以外のものが含まれていてもよい。画像処理部１２２は、各種処理を施した画像情報を、バッファメモリ１２４に記憶する。画像処理部１２２は、ハードワイヤードな電子回路で、構成してもよい。また、画像処理部１２２は、プログラムを用いたマイクロコンピュータなどで、構成してもよい。また、画像処理部１２２は、コントローラ１３０などと共に、１つの半導体チップで構成してもよい。
【００２２】
液晶モニタ１２３は、デジタルカメラ１００の本体１０１の背面に設けられている。液晶モニタ１２３は、チルト方式でタッチパネルを備えたモニタである。液晶モニタ１２３は、チルト方式により表示面１２３Ａの向きを変更可能なように、構成されている。液晶モニタ１２３は、ヒンジ１２３Ｂにより、その表示面１２３Ａを本体１０１に対して、左右方向の軸を中心に回転可能である。これにより、液晶モニタ１２３の表示面１２３Ａを、デジタルカメラ１００の背面側及び／又は前面側に、向けることが可能である。例えば、図２Ａおよび図２Ｂは、左右方向の回転軸を中心にして、表示面１２３Ａを本体から１８０度開いた状態を、示している。そのとき、表示面１２３Ａは前面側に向く。
【００２３】
液晶モニタ１２３は、画像処理部１２２にて処理された画像データに基づいて、画像を表示する。液晶モニタ１２３が表示する画像には、スルー画像及び記録画像が含まれる。スルー画像（背景画面の一例）は、ＣＭＯＳイメージセンサ１２０により一定時間ごとに生成される新しいフレームの画像データを連続して表示する一連の画像に、対応している。通常は、デジタルカメラ１００が撮影モードにあるときに、画像処理部１２２がＣＭＯＳイメージセンサ１２０の生成した画像データから、スルー画像を生成する。使用者は、液晶モニタ１２３に表示されるスルー画像を参照することにより、被写体の構図を確認しながら撮影できる。記録画像（背景画面の一例）は、デジタルカメラ１００が再生モードにあるときに、メモリカード１４０に記録された高画素の画像データを液晶モニタ１２３に表示するために低画素に縮小した画像に対応している。メモリカード１４０に記録される高画素の画像データは、使用者によるレリーズ釦の操作を受け付けた後に、ＣＭＯＳイメージセンサ１２０が生成した画像データに基づいて、画像処理部１２２により生成される。
【００２４】
液晶モニタ１２３は、スルー画像や記録画像の上に重ねて、アイコン等（オブジェクトの一例）を表示することができる。
【００２５】
液晶回転検出部１２５（検出部の一例）は、液晶モニタ１２３の回転角度（回転状態）を検出して、検出結果をコントローラ１３０に通知する。コントローラ１３０は、検出結果である液晶モニタの回転角度を、液晶回転検出部１２５から取得し、バッファメモリ１２４の中に格納する。本実施形態では、コントローラ１３０は、取得した検出結果の認識に基づいて、液晶モニタ１２３の表示状態が、ユーザの見やすい状態、および／又は操作しやすい状態になるように、表示処理を行う。
【００２６】
コントローラ１３０は、デジタルカメラ１００全体の動作を、統括制御する。また、コントローラ１３０は、画像処理部１２２の処理が終了した後、バッファメモリ１２４に記憶された画像データを、メモリカード１４０へ記録する。コントローラ１３０は、プログラムを格納するＲＯＭ、プログラムを実行することにより各種情報を処理するＣＰＵなどにより、構成される。ＲＯＭは、ファイル制御、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを、格納している。
【００２７】
コントローラ１３０は、表示制御部１３２を、有している。表示制御部１３２は、液晶モニタ１２３の表示するスルー画像や記録画像（以下、スルー画像等と記載）と、アイコン等とを重ね合わせて表示させる。これは、画像プレーンにスルー画像等を描画し、ＯＳＤ（Ｏｎ  Ｓｃｒｅｅｎ  Ｄｉｓｐｌａｙ）プレーンにアイコン等を描画した後、これらを重ね合わせて表示することで実現される。画像プレーンおよびＯＳＤプレーンは、バッファメモリ１２４内に用意される。
【００２８】
また、表示制御部１３２は、液晶回転検出部１２５の検出結果に応じて、液晶モニタ１２３に表示させる内容の上下や左右を、反転させるか否かを、制御する。例えば、コントローラ１３０は、液晶回転検出部１２５で得られた検出結果に基づいて、液晶モニタ１２３の表示状態が、ユーザの見やすい状態、および／又は操作しやすい状態になるように、表示処理する。反転の制御は、前述した画像プレーンやＯＳＤプレーンにスルー画像等やアイコン等を描画した後に、どの向きで液晶モニタ１２３に表示するかを制御することで実現可能である（詳細は後述する）。
【００２９】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
【００３０】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像データおよびデジタルカメラ１００の設定情報等を記録するための内部メモリとして機能する。
【００３１】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００３２】
メモリカード１４０は、内部にフラッシュメモリ等の記録部を備えた外部メモリである。メモリカード１４０は、画像処理部１２２で処理される画像データを記録可能である。
【００３３】
操作部１５０は、デジタルカメラ１００の外装に備わっている操作釦や操作ダイアルの総称であり、使用者による操作を受け付ける。例えば、図１や図２に示すように、静止画レリーズ釦２０１、動画レリーズ釦２０６、ズームレバー２０２、電源釦２０３、中央釦２０４、十字釦２０５、モード切替スイッチ２０７、シーン切替ダイアル２０９が、操作部１５０に対応する。操作部１５０は使用者による操作を受け付けると、コントローラ１３０に種々の動作指示信号を通知する。
【００３４】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像データを静止画としてメモリカード１４０等に記録する。以下、単に静止画レリーズ釦２０１を押下すると記載する場合は、全押しを示すものとする。
【００３５】
動画レリーズ釦２０６は、動画記録の開始／終了を指示するための押下式釦である。動画レリーズ釦２０６が使用者によって押下されると、コントローラ１３０は、ＣＭＯＳイメージセンサ１２０が生成した画像データに基づいて、画像処理部１２２により生成された画像データを、動画として、メモリカード１４０等の記録媒体に連続的に記録する。再度、動画レリーズ釦２０６を押下すると、動画の記録が終了する。
【００３６】
ズームレバー２０２は画角を広角端と望遠端との間で調節するための中央位置自己復帰式のレバーである。ズームレバー２０２は、使用者により操作されると、コントローラ１３０にズームレンズ１１２を駆動するための動作指示信号を、通知する。すわなち、ズームレバー２０２が広角端側に操作されると、コントローラ１３０は、被写体を広角で捉えられるように、ズームレンズ１１２が駆動させられる。同様に、ズームレバー２０２が望遠端側に操作されると、コントローラ１３０は、被写体を望遠で捉えられるようにズームレンズ１１２を駆動する。
【００３７】
電源釦２０３は、デジタルカメラ１００を構成する各部への電力供給をユーザが指示するための押下式釦である。電源オフ時に電源釦２０３が使用者により押下されると、コントローラ１３０はデジタルカメラ１００を構成する各部に電力を供給し、起動させる。また、電源オン時に電源釦２０３が使用者により押下されると、コントローラ１３０は各部への電力供給を停止する。
【００３８】
中央釦２０４は、押下式釦である。デジタルカメラ１００が撮影モード又は再生モードにあるときに、中央釦２０４が使用者により押下されると、コントローラ１３０は、液晶モニタ１２３にメニュー画面を表示する。メニュー画面は、撮影／再生のための各種条件を設定するための画面である。メニュー画面で設定された情報は、フラッシュメモリ１４２に記録される。各種条件の設定項目が選択されているときに押下されると、中央釦２０４は決定釦としても機能する。
【００３９】
十字釦２０５は、上下左右方向に設けられた押下式釦である。使用者は、十字釦２０５のいずれかの方向を押下することにより、液晶モニタ１２３に表示される各種条件項目を選択することができる。
【００４０】
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
【００４１】
シーン切替ダイアル２０９は、シーンモードを切り替えるダイアルである。シーンモードとは、撮影状況に応じて設定されるモードの総称である。シーン切替ダイアル２０９の切り替えによって、複数のシーンモードの中のいずれか１つのシーンモードが設定される。複数のシーンモードには、例えば、風景モード、人物モード、夜景モード、逆光モード、マクロモード、及びシーン自動判別モードが、含まれる。なお、シーン自動判別モードでは、例えば、風景モード、人物モード、夜景モード、逆光モード、及びマクロモードの中のいずれか１つのモードが、画像データに基づいて、自動的に設定される。
【００４２】
〔２．動作〕
〔２−１．デジタルカメラ１００の撮影動作〕
デジタルカメラ１００の撮影制御について説明する。デジタルカメラ１００は、液晶モニタ１２３の回転状態を認識することで、ユーザの見やすい状態、および／又は操作しやすい状態になるように、表示処理を行い、画像を表示する。図４は、デジタルカメラ１００の撮影モード時の撮影制御のフローチャートである。デジタルカメラ１００は、撮影モードにおいて、動画および静止画の撮影を行うことができる。ここでは、一例として、静止画の撮影について説明する。
【００４３】
コントローラ１３０は、使用者のモード切替スイッチ２０７の操作により撮影モードに設定されたとき、静止画記録に必要な初期化処理を、行う（Ｓ４０１）。
【００４４】
初期化完了後、モード切替スイッチ２０７の状態が、撮影モードであれば、コントローラ１３０は、液晶モニタ１２３の回転情報を回転検出部１２５から取得し、回転の有無を判定する（Ｓ４０５）。ここでは、例えば、液晶モニタ１２３の表示面が背面側を向いている状態（液晶モニタ１２３が閉じた状態）を、回転角度０度に設定している。この場合、この状態を基準として、液晶モニタ１２３の回転が所定角度（例えば１８０度、液晶モニタ１２３が開いた状態）以上である場合（Ｓ４０５でＹｅｓ）、コントローラ１３０は、回転が有ると判定する。
【００４５】
また、この状態を基準として、液晶モニタ１２３の回転が所定角度未満である場合（Ｓ４０５でＮｏ）、回転がないと判定する。
【００４６】
ステップＳ４０５で、液晶モニタ１２３が回転していないと判定された場合（Ｓ４０５でＮｏ）、表示制御部１３２は、液晶モニタ１２３の表示する画像の向きはそのままで通常モード（図５）の表示処理を行う（Ｓ４０６）。通常モードの表示処理では、表示制御部１３２は、通常の向きで、スルー画像および各種のアイコンを表示する。アイコンは、スルー画像の上に重ねて表示される。すなわち、表示制御部１３２は、スルー画像を描画した画像プレーンと、アイコンを描画したＯＳＤプレーンとを、いずれも通常の向きで重ねて液晶モニタ１２３に表示する。図５（ａ）において、表示制御部１３２は、通常モードのＵＩとして画面下部に表示されるアイコン５０１（ここでは「連続撮影枚数」のアイコン）を操作したときには、画面中央部に、アイコン５０１に対応する操作ＵＩ５０２を表示する（図５（ｂ））。例えば、アイコン５０１が連続撮影枚数を設定するアイコンであれば、使用者がアイコン５０１をタッチしたのに応じて、表示制御部１３２が、画面中央部に連続撮影枚数を設定するための複数のアイコンを操作ＵＩ５０２として表示する。
【００４７】
ステップＳ４０５で、液晶モニタ１２３が回転していると判定された場合（Ｓ４０５でＹｅｓ）、表示制御部１３２は、液晶モニタ１２３の表示する画像の向きを、上下反転させる（Ｓ４０７）。そしてこの場合はさらにデジタルカメラ１００は自分撮りモードとなり、表示制御部１３２が専用のユーザーインタフェース（ＵＩ）（図６（ａ））の表示処理（Ｓ４０８）を行う。自分撮りモードの表示処理では、表示制御部１３２は、上下反転したスルー画像の上に、上下左右を反転したアイコンを重ねて表示する。すなわち、表示制御部１３２は、スルー画像を描画した画像プレーンを上下反転したものと、アイコンを描画したＯＳＤプレーンを上下左右反転したものとを、重ねて液晶モニタ１２３に表示する。
【００４８】
このＵＩが表示された時に、設定を変更する場合の操作として、デジタルカメラ１００の前方から見て、静止画レリーズ釦２０１は左手側なので、使用者は左手で本体１０１を持って静止画レリーズ釦２０１に指をかける。そして、使用者は右手で設定画面をタッチする形になる。
【００４９】
そこで、前方から見て、画面の下部や左部に操作アイコンが表示されていると、光学系１１０の鏡筒やカメラ上面のボタンやダイアルが画面へのタッチ操作の邪魔になるおそれがある。したがって本実施の形態のデジタルカメラ１００において、表示制御部１３２は、自分撮りモード時の操作ＵＩを、前方から見て画面右部の領域６０３Ａ、および上部の領域６０３Ｂに表示する（図６（ａ））。ここで、画面右部とは、画面の右端から所定距離の範囲内の領域を指す。また、画面上部とは、画面の上端から所定距離の範囲内の領域を指す。言い換えると、画面右部とは、ＯＳＤプレーンの右端から所定距離の範囲内の領域を指す。また、画面上部とは、ＯＳＤプレーンの上端から所定距離の範囲内の領域を指す。また、画面右部とは、液晶モニタ１２３の表示面１２３Ａにおいて、本体１０１上の静止画レリーズ釦２０１が配置される側と反対側の領域を指す。また、画面上部とは、液晶モニタ１２３の表示面１２３Ａにおいて、本体１０１、または本体１０１と接続されるヒンジ１２３Ｂから遠い側（反対側）の領域を指す。
【００５０】
図６（ａ）において、表示制御部１３２は、自分撮りモードのＵＩとして画面右部に表示されるアイコン６０１（ここでは「連続撮影枚数」のアイコン）を操作したときには、操作の邪魔にならないように画面上部（通常モード時の表示位置よりも上）に、アイコン６０１に対応する操作ＵＩ６０２を表示する（図６（ｂ））。例えば、アイコン６０１が連続撮影枚数を設定するアイコンであれば、使用者がアイコン６０１をタッチしたのに応じて、表示制御部１３２が、画面上部に連続撮影枚数を設定するための複数のアイコンを操作ＵＩ６０２として表示する。
【００５１】
このように、液晶モニタ１２３を開いた状態においては、液晶モニタ１２３上のタッチパネルに対する操作性を向上させるため、画面右部の領域６０３Ａおよび画面上部の領域６０３Ｂに表示する。こうすることにより、使用者によるタッチパネルへの操作が容易となり、液晶モニタ１２３を回転させたときの利便性を向上できる。
【００５２】
コントローラ１３０は、モード切替スイッチ２０７の状態の確認（Ｓ４０４）、自分撮りモードの表示（Ｓ４０８）、通常モードの表示（Ｓ４０６）、および静止画レリーズ釦２０１の押下の監視（Ｓ４０９）を含む、使用者からの入力確認処理や表示処理を、繰り返し実行する。なお、ステップＳ４０４において、モード切替スイッチ２０７の状態が、撮影モードでなければ撮影モードの処理を終了する。
【００５３】
ステップＳ４０８の自分撮りモードの表示処理、および、ステップＳ４０６の通常モードの表示処理の後、ステップＳ４０９において、静止画レリーズ釦２０１の押下を検知すると、コントローラ１３０は、静止画の撮影処理を行う（Ｓ４１１）。
【００５４】
〔３．まとめ〕
以上のように、本実施の形態のデジタルカメラ１００は、本体１０１と、本体１０１に対して複数の向きに配置可能な液晶モニタ１２３と、液晶モニタ１２３の向きを検出する回転検出部１２５と、回転検出部１２５が検出する液晶モニタ１２３の向きに基づいて、液晶モニタ１２３に表示させるスルー画像等に対するアイコンの位置を変更する表示制御部１３２と、を備える。
【００５５】
この構成により、液晶モニタ１２３を開いた状態（すなわち、１８０度回転した状態）にしたときには、アイコン等のＵＩを画面右部の領域６０３Ａおよび画面上部の領域６０３Ｂに表示する。こうすることにより、液晶モニタ１２３を開いた状態においても使用者によるタッチパネルへの操作が容易となり、液晶モニタ１２３を回転させたときの利便性を向上できる。
【００５６】
〔４．他の実施の形態〕
本発明は、上記実施の形態に限定されず、種々の実施形態が考えられる。以下、本発明の他の実施の形態について記載する。
【００５７】
（Ａ）上記実施の形態では、表示制御部１３２が、通常モードにおいて「連続撮影枚数」のアイコン（アイコン５０１）を画面下部に表示するが、自分撮りモードにおいては同アイコン（アイコン６０１）を画面右部に表示する例について説明した。しかしながら、表示制御部１３２が、自分撮りモードにおいて画面上部にアイコンを表示するようにしてもよい。また、液晶モニタ１２３を開いた状態においても使用者によるタッチパネルへの操作が容易となるような他の領域へ表示するようにしてもよい。
【００５８】
（Ｂ）上記実施の形態では、表示制御部１３２が、通常モードにおいて「連続撮影枚数」のアイコン（アイコン５０１）を画面下部に表示するが、自分撮りモードにおいては同アイコン（アイコン６０１）を画面右部に表示する例について説明した。しかしながら、表示制御部１３２は、通常モードでは表示されないアイコンを、自分撮りモードにおいて画面右部の領域６０３Ａ、および上部の領域６０３Ｂのいずれかに表示するようにしてもよい。つまり、液晶モニタ１２３を開いた状態においても使用者によるタッチパネルへの操作が容易となるような領域へ表示するようにしさえすればよい。
【００５９】
（Ｃ）上記実施の形態では、電子機器がデジタルカメラ１００である場合の例を説明したが、チルト方式でタッチパネルを備えたモニタを備えたものであれば、ムービー（ビデオカメラ）等の撮像装置であってもよい。
【産業上の利用可能性】
【００６０】
本発明によれば、、モニタを回転させたときの利便性を向上した電子機器を提供することが出来るため、デジタルスチルカメラ、ムービー、携帯電話、スマートフォン、ＰＣ等にも適用できる。
【符号の説明】
【００６１】
１００  デジタルカメラ
１１１  フォーカスレンズ
１１２  ズームレンズ
１１３  絞り
１１４  シャッター
１２０  ＣＭＯＳイメージセンサ
１２１  ＡＦＥ（Ａｎａｌｏｇ  Ｆｒｏｎｔ  Ｅｎｄ）
１２２  画像処理部
１２３  液晶モニタ
１２３Ａ  表示面
１２３Ｂ  ヒンジ
１２４  バッファメモリ
１２５  回転検出部
１３０  コントローラ
１３２  表示制御部
１４０  メモリカード
１４１  カードスロット
１４２  フラッシュメモリ
１５０  操作部
１６０  フラッシュ
２０１  静止画レリーズ釦
２０２  ズームレバー
２０３  電源釦
２０４  中央釦
２０５  十字釦
２０６  動画レリーズ釦
２０７  モード切替スイッチ
【図１Ａ】
2016103666.tif 000003
【図１Ｂ】
2016103666.tif 000004
【図２Ａ】
2016103666.tif 000005
【図２Ｂ】
2016103666.tif 000006
【図３】
2016103666.tif 000007
【図４】
2016103666.tif 000008
【図５】
2016103666.tif 000009
【図６】
2016103666.tif 000010